【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
先端部と基端部とを有する挿入部と、
前記挿入部の基端部に設けられた操作部と、
前記挿入部に設けられ、対物レンズを前記挿入部の先端部の先端面に有する観察光学系と、
前記挿入部に設けられ、超音波振動子を前記挿入部の先端部の先端面またはそれよりもさらに先端側に有する超音波観察系と
を具備し、
前記光学観察系の焦点位置は、前記超音波振動子の走査面と略同一の面上にあることを特徴とする超音波内視鏡。
【請求項２】
前記超音波振動子は、前記挿入部の先端部の先端面に対して突出された位置に固定可能に配置されていることを特徴とする請求項１に記載の超音波内視鏡。
【請求項３】
前記光学観察系と前記超音波観察系との焦点位置は略同一の面上にあることを特徴とする請求項１もしくは請求項２に記載の超音波内視鏡。
【請求項４】
前記超音波振動子はコンケイブ型であることを特徴とする請求項３に記載の超音波内視鏡。
【請求項５】
前記光学観察系には、光学観察用モニタが接続され、
前記モニタには、前記光学観察系によって得られる像に重ね合わせて表示される寸法表示器が表示されることを特徴とする請求項３もしくは請求項４に記載の超音波内視鏡。
【請求項６】
前記寸法表示器は、格子および／または目盛りであることを特徴とする請求項５に記載の超音波内視鏡。
【請求項７】
前記挿入部に設けられた少なくとも２つのワーキングチャンネルをさらに具備し、
前記超音波観察系は、
先端部を有し、前記挿入部に設けられた超音波プローブ用チャンネルと、
前記超音波振動子が設けられた先端部を有し、その軸周りに回動可能に前記プローブ用チャンネルに挿通され、前記超音波振動子の中心軸が前記少なくとも２つのワーキングチャンネルのうちのいずれかのチャンネル上に向けられている超音波プローブと
を備え、
前記光学観察系は、前記挿入部の先端部において、前記少なくとも２つのワーキングチャンネルに対して略等距離の位置に配置されていることを特徴とする請求項１に記載の超音波内視鏡。
【請求項８】
前記光学観察系は、前記ワーキングチャンネルの間に配設されていることを特徴とする請求項７に記載の超音波内視鏡。
【請求項９】
前記超音波プローブはその軸方向に沿って移動可能であり、
前記超音波プローブの先端部は、前記少なくとも２つのワーキングチャンネルの方向のいずれかに振動面を有する状態で前記挿入部の先端部に対して固定可能であることを特徴とする請求項７もしくは請求項８に記載の超音波内視鏡。
【請求項１０】
前記超音波プローブは、その先端部を前記挿入部の先端よりも前方に向かって突出させたときに回動可能であり、前記突出させた状態よりも引き込んだときに前記挿入部の先端部に固定されることを特徴とする請求項９に記載の超音波内視鏡。
【請求項１１】
前記超音波振動子は、前記超音波プローブの先端部の先端に設けられていることを特徴とする請求項９もしくは請求項１０に記載の超音波内視鏡。
【請求項１２】
前記超音波振動子は、前記超音波プローブの先端部の側面に設けられていることを特徴とする請求項１１に記載の超音波内視鏡。
【請求項１３】
前記超音波プローブの先端部には、少なくとも１つの第１の固定部が設けられ、
前記プローブ用チャンネルには、前記第１の固定部に係合する複数の第２の固定部が設けられていることを特徴とする請求項９に記載の超音波内視鏡。
【請求項１４】
前記第１の固定部は、前記超音波プローブの軸方向から外れる方向に突出する少なくとも１つの突出部を備え、
前記第２の固定部は、前記突出部に係合する複数の凹部を備えていることを特徴とする請求項１３に記載の超音波内視鏡。
【請求項１５】
前記超音波プローブの先端部の外周面は略正多角形状であり、
前記プローブ用チャンネルの先端部の縁部は前記超音波プローブの先端部が嵌合される略正多角形状であり、
前記ワーキングチャンネルは、前記超音波プローブ用チャンネルの中心を通り、縁部に直交する線分上に配置されていることを特徴とする請求項９に記載の超音波内視鏡。
【請求項１６】
前記超音波プローブの先端部は、略正多角柱状であり、
前記プローブ用チャンネルの先端部は、略正多角形状であることを特徴とする請求項１５に記載の超音波内視鏡。
【請求項１７】
前記少なくとも２つのワーキングチャンネルの少なくとも一方は、前記超音波振動子による振動面と交差する挿入軸を有することを特徴とする請求項７に記載の超音波内視鏡。
【請求項１８】
前記少なくとも２つのワーキングチャンネルの少なくとも一方は、前記挿入部の長手方向に対して傾斜した傾斜軸を備え、
その傾斜軸を有するワーキングチャンネルに処置具が挿通されたときに、前記超音波振動子は、その傾斜軸に配設された処置具の中心軸と交差する振動面を有することを特徴とする請求項７に記載の超音波内視鏡。
【請求項１９】
前記超音波振動子は、前記超音波プローブの先端部の先端面および側面に配設されていることを特徴とする請求項７に記載の超音波内視鏡。
【請求項２０】
前記挿入部に設けられたワーキングチャンネルをさらに具備し、
前記ワーキングチャンネルは、前記超音波振動子の振動面に交差する中心軸を備えていることを特徴とする請求項１に記載の超音波内視鏡。
【請求項２１】
前記挿入部の先端部には、キャップが配設されていることを特徴とする請求項１に記載の超音波内視鏡。
【請求項２２】
前記キャップ内には、前記対物レンズおよび前記超音波振動子に密着し、超音波透過性および光透過性を有するブロックが配設されていることを特徴とする請求項２１に記載の超音波内視鏡。
【手続補正２】
【補正対象書類名】明細書
【補正対象項目名】発明の名称
【補正方法】変更
【補正の内容】
【発明の名称】超音波内視鏡
【手続補正３】
【補正対象書類名】明細書
【補正対象項目名】０００１
【補正方法】変更
【補正の内容】
【０００１】
この発明は、超音波内視鏡に関する。
【手続補正４】
【補正対象書類名】明細書
【補正対象項目名】００１０
【補正方法】削除
【補正の内容】
【手続補正５】
【補正対象書類名】明細書
【補正対象項目名】０２１８
【補正方法】変更
【補正の内容】
【０２１８】
Item 16.  Item 13ないしItem 15のいずれか１に記載のシースの先端に配設されるバルーンであって、
先端部と基端部とを有するバルーン形成部を具備し、
前記バルーン形成部は、その長手軸周りに対称に形成されているとともに、前記バルーン形成部の外周面のうち、前記長手軸と平行な接線位置は、前記基端部側よりも前記先端部に近接する側にある。
Item 17.  本体ケースと、前記本体ケースに着脱可能に配設される複数の処置具とを具備し、
前記本体ケースは、
複数のスロットを有する保持部と、
前記保持部に連結され、それぞれ対応するスロットに連通した複数のルーメンを有するシースと
を備え、
各処置具は、
前記スロットを通して前記ルーメンに配設される挿入部と、
前記挿入部の基端部に設けられ、前記スロットに配設される操作部と
を備えていることを特徴とする処置具システム。
Item 18.  Item 17に記載の処置具システムであって、
前記複数の処置具のうち、少なくとも１つの挿入部が体管腔内に導入される。
Item 19.  Item 17もしくはItem 18に記載の処置具システムであって、
前記複数の処置具の挿入部の先端部には、超音波を送信、受信、または送受信可能な超音波振動子が配設されている。
Item 20.  Item 19に記載の処置具システムであって、
前記超音波振動子同士は対向する位置に配置されたときに、一方が少なくとも超音波を送信可能であり、他方が少なくとも超音波を受信可能である。
Item 21.  Item 19もしくはItem 20に記載の処置具システムであって、
前記保持部は、前記処置具の操作部に係合し、前記ルーメンの先端に対する前記挿入部の突出長さを調整する突出長調整部を備えている。
Item 22.  経口的または経肛門的に管腔内に挿入される挿入部を有する第１の内視鏡と、
経皮的に管腔外に挿入される挿入部を有する第２の内視鏡と
を具備し、
前記第１の内視鏡の挿入部の先端部には、送信および／または受信可能な超音波振動子が配設され、
前記第２の内視鏡の挿入部の先端部には、送信および／または受信可能な超音波振動子が配設され、
前記第１および第２の内視鏡のそれぞれの挿入部の先端部同士が管腔壁を挟んで対向する位置に配置されたときに、いずれかの超音波振動子は最大の超音波を受信することを特徴とする内視鏡システム。
Item 23.  Item 22に記載の内視鏡システムであって、
前記第１の内視鏡の挿入部は、ワーキングチャンネルを備え、
前記ワーキングチャンネルを通して前記管腔壁を処置可能である。
Item 24.  紐状部材と、
前記紐状部材に固定されたバーと、
前記バーに近接する方向への移動を許容し、前記バーから離隔する方向への移動を規制するストッパと
を具備し、
前記バーには、超音波観察により認識される反射加工部が設けられていることを特徴とするＴバー。
Item 25.  Item 24に記載のＴバーが配置されるＴバー結紮装置であって、
前記Ｔバーが先端側から着脱可能に配置される針管と、
前記針管の外周を覆うシースと、
前記針管に挿通可能に設けられ、前記針管の先端から前記Ｔバーを脱落させるためのプッシャと
を具備することを特徴とするＴバー結紮装置。
Item 26.  Item 25に記載のＴバー結紮装置であって、
前記バーと前記針管とは、異なる材質である。
Item 27.  Item 25もしくはItem 26に記載のＴバー結紮装置であって、
前記針管は、前記バーの反射加工部とは異なる反射加工部を備えている。
Item 28.  Item 27に記載のＴバー結紮装置であって、
前記針管の反射加工部と前記バーの反射加工部とは、加工深さが異なる。
Item 29.  Item 27もしくはItem 28に記載のＴバー結紮装置であって、
前記針管の反射加工部と前記バーの反射加工部とは、加工密度が異なる。
Item 30.  Item 27ないしItem 29のいずれか１に記載のＴバー結紮装置であって、
前記針管の反射加工部と前記バーの反射加工部とは、加工形状が異なる。
Item 31.  Item 25に記載のＴバー結紮装置であって、
前記シースの先端には、超音波を伝達可能なバルーンが配設されている。
Item 32.  Item 25に記載のＴバー結紮装置であって、
前記バーと前記針管とは、異なるコーティングが施されている。